(57)【要約】【課題】ファインダズーム動作の際、ファインダレンズに設けられているカム従動突起の押圧により、螺旋カム部の急激な傾斜変化部分において発生するファインダカムの、モータ駆動より伝達された所要の回転より回転が速くなる現象を抑止し、この現象に起因する異音・像ブレ発生を防止することができる画像撮影装置を提供する。【解決手段】ファインダ装置２にモータの回転力を伝達する連動ギヤ６がファインダカムのカムギヤ５に噛合している。連動ギヤ６の軸にはＯリング７が挿入され、連動ギヤ６の回転に一定の負荷が掛かるようにしている。ズーム動作のためにモータ回転力がファインダ装置２に伝達され、ファインダ装置２から回転を速くしようとする回転力がカムギヤ５から連動ギヤ６に伝達されると、連動ギヤ６には一定の回転負荷があるため、この現象は阻止される。ファインダレンズのズーム時の像ブレを防止するとともに連動ギヤが噛合する金属ギヤ等との衝突も防止し異音の発生を防止する。【選択図】　　　　図２
2004126300.tif 000002
【特許請求の範囲】
【請求項１】
１以上のファインダレンズと、該ファインダレンズの少なくとも１つを光軸方向に移動させるレンズ移動手段と、該レンズ移動手段にて移動される前記ファインダレンズの少なくとも１つを光軸方向の一方に付勢する付勢手段と、動力源の動力をレンズ移動手段に伝達するギヤを１以上設けた画像撮影装置において、
前記ギヤの回転または前記レンズ移動手段の動作を抑止する負荷手段を前記ギヤまたは前記レンズ移動手段に設け、前記付勢手段の付勢により生じる前記ファインダレンズの移動にともなう前記ギヤの回転または前記レンズ移動手段の動作を抑止することを特徴とする画像撮影装置。
【請求項２】
前記ギヤを２以上備え、前記負荷手段を前記レンズ移動手段側の前記ギヤに設けたことを特徴とする請求項１記載の画像撮影装置。
【請求項３】
前記負荷手段は、前記ギヤの回転軸に挿入するＯリングと、該Ｏリングを押圧する押圧手段とよりなることを特徴とする請求項１または２記載の画像撮影装置。
【請求項４】
前記ギヤを２以上備え、前記ファインダ移動手段側のギヤに前記負荷手段を設け、かつ前記ギヤよりも動力源側に金属ギヤまたは焼結ギヤを設けたことを特徴とする請求項２または３記載の画像撮影装置。
【請求項５】
１以上のファインダレンズと、該ファインダレンズの少なくとも１つを光軸方向に移動させるレンズ移動手段と、該レンズ移動手段で移動される前記ファインダレンズの少なくとも１つを光軸方向の一方に付勢する付勢手段と、動力源の動力をレンズ移動手段に伝達するギヤを１以上設けた画像撮影装置において、
前記ファインダレンズが前記付勢手段による付勢に抗して停止している際に、ファインダレンズが付勢方向に移動することを抑止する負荷手段を前記ギヤまたは前記レンズ移動手段に設けたことを特徴とする画像撮影装置。
【請求項６】
前記負荷手段は、前記レンズ移動手段に挿入されるフリクションワッシャであることを特徴とする請求項５記載の画像撮影装置。
【発明の詳細な説明】
【０００１】
【発明の属する技術分野】
本発明は、ディジタルカメラなどの画像撮影装置のファインダ装置、さらに詳しくいえば、ファインダ装置のズーム機構における異音・像ブレ発生を防止する機構に関する。
【０００２】
【従来の技術】
ディジタルカメラにおける撮影レンズおよびファインダ装置のズーム動作は、ズームボタン操作によりモータ駆動力を各機構に伝達させて行うのが一般的である。
モータ軸は減速ギヤ群に係合され、減速ギヤ群の最終ギヤはファインダズーム機構のギヤおよび撮影レンズズーム機構のギヤにそれぞれ噛み合っている。最終ギヤは連動ギヤを介してファインダカムにモータ回転力を伝えるとともに撮影レンズのズーム機構にもモータ回転力を伝える。
【特許文献１】特開平６−２０８１５６号公報
【０００３】
【発明が解決しようとする課題】
図５は、ファインダ装置のズーム機構を示す斜視図で、（ａ）はワイド位置に駆動した場合、（ｂ）はテレ位置に駆動した場合、（ｃ）は背面図である。
この図は、本件発明者が実施を予定しているファインダ装置のズーム機構を示すものである。対物側のファインダレンズは第１〜第４のファインダレンズ２１，２２，２３および２４で構成されている。第１および第４ファインダレンズ２１，２４は固定されており、第２および第３ファインダレンズ２２，２３はズームのために光軸方向に移動可能である。第２および第３ファインダレンズ２２，２３の支持枠２９，３０の案内部２９ａ，３０ａは案内軸２５で案内され、反対側の案内ピン３２，３３は長溝１９内を滑動するようになっている。案内部２９ａ，３０ａにはカム従動突起１６，１７が設けられている。
【０００４】
ファインダカム１８を構成する円筒１８ａの表面には螺旋カム部１５が形成され、この螺旋カム部１５を第２ファインダレンズ２２および第３ファインダレンズ２３のカム従動突起１６，１７が前後から挟み付けている。案内部２９ａ，３０ａの間にスプリング２６が掛け渡され、カム従動突起１６，１７は常に螺旋カム部１５に押し当てられるように付勢力が与えられている。
図５（ａ）はワイド位置に第２および第３ファインダレンズ２２，２３が位置付けられた場合で、カム従動突起１６，１７は螺旋カム部１５の最も太い部分を挟み付けている。また、図５（ｂ）はテレ位置に第２および第３ファインダレンズ２２，２３が位置付けられた場合で、カム従動突起１６，１７は螺旋カム部１５の最も細い部分を挟み付けている。
【０００５】
図６は、カム従動突起の動きを説明するための螺旋カム部の展開図である。
螺旋カム部１５のワイド側は幅が広くノーマル側に移るに従って急激に細くなり、テレ側に向かってさらに徐々に細くなっていく。ワイドからテレ側にズーミングする場合、モータ駆動力によりファインダカム１８が回転させられるが、ファインダカム１８の回転に伴い、螺旋カム部１５の幅が広い部分から急激に細くなる部分Ｂでは第２および第３ファインダレンズの間の付勢力によりカム従動突起が螺旋カム部１５を押すため、ファインダカム１８がモータ駆動より伝達された所要の回転より回転の速くなる現象が発生する。
【０００６】
すなわち、図７に示すようにそれぞれのギヤの歯が噛み合うように接続したとすると、モータ駆動より伝達された所要の回転より回転の速くなる現象が発生する前は、通常モータ駆動力によりモータ駆動側のギヤの歯が所要のファインダカム１８側のギヤの歯を押すようにスムースに回転してファインダカム１８側に駆動力を伝達するが、回転の速くなる現象が発生すると、逆にファインダカム側のギヤの歯がモータ駆動側のギヤの歯を押す現象が発生する。
したがって、ファインダカム１８が前記付勢力により速い回転をすることで、ズーミング速度が瞬間的に速くなり、像ブレが発生する問題があった。
【０００７】
また、モータ駆動回転より伝達された所要の回転より回転の速くなる現象は瞬間的であるため、モータ駆動側のギヤの歯にファインダカム側のギヤの歯が衝突（以下、モータ駆動側のギヤの歯にファインダカム側のギヤの歯が衝突する現象をバッククラッシュと称する）し、異音を発生するという問題がある。
特に、ギヤの中に金属ギヤまたは焼結ギヤ（以下「金属ギヤ等」という）を１以上挿入すると、その異音は顕著に発生する。
本発明の目的は、ファインダズーム動作の際、ファインダレンズに設けられているカム従動突起の押圧により、螺旋カム部の急激な傾斜変化部分において発生するファインダカムの、モータ駆動より伝達された所要の回転より回転が速くなる現象を抑止し、この現象に起因する異音・像ブレ発生を防止することができる画像撮影装置を提供することにある。
【０００８】
【課題を解決するための手段】
前記目的を達成するために本発明による撮影画像装置は、１以上のファインダレンズと、該ファインダレンズの少なくとも１つを光軸方向に移動させるレンズ移動手段と、該レンズ移動手段にて移動される前記ファインダレンズの少なくとも１つを光軸方向の一方に付勢する付勢手段と、動力源の動力をレンズ移動手段に伝達するギヤを１以上設けた画像撮影装置において、前記ギヤの回転または前記レンズ移動手段の動作を抑止する負荷手段を前記ギヤまたは前記レンズ移動手段に設け、前記付勢手段の付勢により生じる前記ファインダレンズの移動にともなう前記ギヤの回転または前記レンズ移動手段の動作を抑止する構成とする。
本発明は前記ギヤを２以上備え、前記負荷手段を前記レンズ移動手段側の前記ギヤに設けた構成とする。
本発明における前記負荷手段は、前記ギヤの回転軸に挿入するＯリングと、該Ｏリングを押圧する押圧手段とより構成されている。
本発明は前記ギヤを２以上備え、前記ファインダ移動手段側のギヤに前記負荷手段を設け、かつ前記ギヤよりも動力源側に金属ギヤまたは焼結ギヤを設けた構成とする。
また、本発明は１以上のファインダレンズと、該ファインダレンズの少なくとも１つを光軸方向に移動させるレンズ移動手段と、該レンズ移動手段で移動される前記ファインダレンズの少なくとも１つを光軸方向の一方に付勢する付勢手段と、動力源の動力をレンズ移動手段に伝達するギヤを１以上設けた画像撮影装置において、前記ファインダレンズが前記付勢手段による付勢に抗して停止している際に、ファインダレンズが付勢方向に移動することを抑止する負荷手段を前記ギヤまたは前記レンズ移動手段に設けた構成とする。
本発明における前記負荷手段は、前記レンズ移動手段に挿入されるフリクションワッシャを用いるものである。
【０００９】
【作用】
上記構成によれば、ワイドからテレ側にズーム動作する場合、ファインダカムの、モータ駆動より伝達された所要の回転より回転が速くなる現象を連動ギヤが抑止するので、ワイド位置からズームする場合の像拡大動作における像ブレを防止できるとともに連結するギヤとバックラッシュが存在する金属ギヤ等との間の衝突を阻止し異音の発生を防止することができる。
【００１０】
【発明の実施の形態】
以下、図面を参照して本発明の実施の形態を詳しく説明する。
図１は、本発明による画像撮影装置におけるファインダ装置の異音・像ブレ防止機構を適用したディジタルカメラの外観図で、（ａ）は前面斜視図，（ｂ）は背面図である。
ディジタルカメラ１のパワーオンにより撮影レンズ３はワイド状態で待機する。ズームボタン４をテレ側に押すと、撮影レンズ３およびファインダ装置２のズーム動作が開始する。後述する連動ギヤにはＯリングによる回転負荷が効いているためワイド側からテレ側に移行する際のファインダカムの早回り回転は発生することはなくファインダにおける像ブレおよびギヤの衝突による異音の発生はない。
【００１１】
図２は、本発明による画像撮影装置におけるファインダ装置における異音・像ブレ防止機構の実施の形態を示す一部分解斜視図である。
ファインダ装置２のカムギヤ５は連動ギヤ６に噛合している。連動ギヤ６をフリー回転ではなく、一定の負荷が掛かった状態で回転させるために、連動ギヤ６の軸にＯリング７を挿入し、該Ｏリング７を連動ギヤ６に負荷を所要に与えるように押え板９で押さえ、ネジ８により連動ギヤ６を回転可能に固定している。
【００１２】
図３は、ファインダ機構部と撮影レンズズーム機構および駆動モータ機構の連結機構を示す正面図である。
連動ギヤ６は最終ギヤ１０と噛合し、最終ギヤ１０は図示しないギヤを介して撮影レンズズーム機構に接続されている。また最終ギヤ１０は減速ギヤ群１２を介してモータ軸１１に結合している。
この最終ギヤ１０はレンズズーム機構、減速ギヤ群１２および連動ギヤ６に噛合され、特に負担のかかるギヤである。
また、ディジタルカメラ等の装置本体が地面等に撮影レンズから落下した場合に、その衝撃は最終ギヤ１０に集中し、樹脂等の強度の低いギヤでは破損可能性が高い。したがって、本例では破損防止するものとして、最終ギヤ１０に金属ギヤ等を設けて構成している。
【００１３】
つぎに装置の動作について説明する。
ワイドからテレ側にズームボタンが押されると、モータ軸が回転を開始し、減速ギヤ群１２，金属ギヤ等１０，連動ギヤ６およびカムギヤ５を介してファインダカムに回転力が伝達される。このとき図６に示すようにＢの位置では、螺旋カム部１５の幅が急激に小さくなるため、スプリング２６によるカム従動突起１６，１７の螺旋カム部１５の側面を押す力がファインダカム１８をモータ駆動回転より伝達された所要の回転より速く回転させようとする。その力はカムギヤ５から連動ギヤ６に伝達され、さらに最終ギヤ１０に伝達し、減速ギヤ群１２を介してモータ駆動側に伝達される。
【００１４】
しかしながら、連動ギヤ６ではＯリング等の負荷手段７により、カムギヤ５からの回転に一定の負荷が与えられているため、モータ駆動による伝達された所要の回転以上の速い回転は、連動ギヤ６で抑制され、連動ギヤ６からモータ駆動側のギヤではモータ駆動による伝達された回転より速い回転は発生しなくなる。
また、負荷手段７をファインダカム１８側に近ければ近いギヤに設けるほどよい。すなわち、ギヤの歯と歯の間は、少なからず隙間があり、負荷手段７をモータ駆動側に近づくほど、ファインダカム１８の所要の速度以上の回転時における回転距離が大きくなる。
これは、噛合するギヤ同士の歯と歯の間には隙間があり、ギヤを伝達した数が多いほどギヤの歯と歯の間の隙間が見かけ上大きくなり、負荷手段７をモータ駆動側に近づくほどファインダカム１８の所要の速度以上での回転時における回転距離は大きくなる。
【００１５】
したがってファインダカム１８側に近いギヤに負荷手段７を用いれば、すぐにギヤの回転を抑制し、ファインダカム１８の所要の速度以上での回転時における回転距離は非常に小さくなり、ファインダの像ブレの発生を防止することができる。
さらに前記した如くファインダカム１８の所要の速度以上での回転によるバッククラッシュが最小限でくい止められ、伝達するギヤの数に比例して大きくなる衝突回数を少なくすることができ、衝突にともなうギヤの劣化や異音、それに伴う不具合を防止することができる。
特に、金属ギヤ等を用いた場合、バッククラッシュによる異音は大きいことからその金属ギヤ等を用いたギヤよりファインダカム１８に近いギヤに負荷手段７を用いると異音の発生を防止できる。
【００１６】
なお、本例においては金属ギヤ等を最終ギヤ１０に用いているが、これに限定されない。適度所要に設けることができる。
また、連動ギヤ６を１つ用いて説明したが、複数でも良く設計時に適宜変更する。さらにファインダカム１８をモータ駆動で駆動していない場合でも本発明の効果を得ることができる。すなわち、前記スプリング２６の付勢力によって、ファインダカム１８が回転する必要がないにもかかわらず、噛合するギヤ同士の歯と歯の間の隙間によってその分回転ししまうことがあるが、本発明の負荷手段を用いることで防止することができる。
【００１７】
つぎに負荷手段７について詳述する。
負荷手段７は、ギヤの回転に負荷を与えるものであれば、特に限定はないが、Ｏリングを用いることで簡便に負荷を与えることができる。
すなわち、ギヤの軸にＯリングをはめ込むと同時に、Ｏリングをギヤを押え板９で挟むようにし、その挟む力、言い換えれば押え板９でＯリングを押圧する力によって負荷の大きさを制御できる。
また、ギヤの形状に合わせてＯリングをはめ込む構成を容易に変更できるので、設計の自由度を向上させることができる。
【００１８】
図４は、本発明の他の実施の形態を示す図で、（ａ）は図２で示したファインダ機構部のＡ矢視図，（ｂ）はフリクションワッシャの断面図である。
ファインダカム１８の軸にフリクションワッシャ２０を挿入しファインダカム１８に直接回転負荷を与えるものである。これによりファインダカム１８の早回り回転現象を防止し、図２の実施の形態と同様の効果を得ることができる。
なお、これに限定せず、上述したギヤに負荷手段７を用いる構成を併用しても、同様の効果を得ることができる。本例ではモータ駆動の回転する速度以上の場合について説明したが、これに限定せず、所要以上の速度で回転が発生する近傍に負荷手段を適宜用いれば本発明の効果が得られるからである。
また、ファインダカム１８が回転してファインダレンズを移動させる構成に限定せずとも本発明の効果は得られる。
【００１９】
以上、説明したように本実施例においては、ファインダカムのギヤと撮影レンズズーム機構およびモータの減速ギヤ群の間に挿入される連動ギヤに、回転負荷を掛ける負荷手段を取り付け、連動ギヤに所定の摩擦力を与えてファインダカムで発生する一瞬の、モータ駆動より伝達された所要の回転より回転が速くなる現象に一定の制動を与えるものである。また、ファインダカムの軸に負荷手段を取り付け、同様にファインダカムで発生する一瞬の、モータ駆動より伝達された所要の回転より回転が速くなる現象に一定の制動を与えるものである。
したがって、ワイドからテレ側にズーム動作する際に発生しようとするファインダカムの、モータ駆動より伝達された所要の回転より回転が速くなる現象を連動ギヤまたはファインダカム自体が抑制するので、ファインダズームにおける像ブレの問題を解決することができる。また、連動ギヤの、バックラッシュが存在する金属ギヤ等への衝突を回避でき、衝突による異音発生を防止することができる。
【００２０】
【発明の効果】
かくして、本発明の画像撮影装置によれば、ギヤやファインダカムに負荷手段を用いることで、ギヤやファインダカムの所要以上の回転速度を抑制することができるとともに、ギヤやファインダカムを駆動していない場合でもファインダの像ブレを抑えることができ、異音の発生を抑えることができる。
【図面の簡単な説明】
【図１】本発明による画像撮影装置におけるファインダ装置の異音・像ブレ防止機構を適用したディジタルカメラの外観図で、（ａ）は前面斜視図，（ｂ）は背面図である。
【図２】本発明による画像撮影装置におけるファインダ装置の異音・像ブレ防止機構の実施の形態を示す一部分解斜視図である。
【図３】ファインダ機構部と撮影レンズズーム機構および駆動モータ機構の連結機構を示す正面図である。
【図４】本発明の他の実施の形態を示す図で、（ａ）ファインダ機構部のＡ矢視図，（ｂ）はフリクションワッシャの断面図である。
【図５】ファインダ装置のズーム機構を示す斜視図で、（ａ）はワイド位置に駆動した場合、（ｂ）はテレ位置に駆動した場合、（ｃ）は背面図である。
【図６】カム従動突起の動きを説明するための螺旋カム部の展開図である。
【図７】連動ギヤの動きを説明するための図である。
【符号の説明】
１　ディジタルカメラ
２　ファインダ装置
３　撮影レンズ
４　ズームボタン
５　カムギヤ
６　連動ギヤ
７　Ｏリング（負荷手段）
８　ねじ
９　押え板
１０　最終ギヤ（金属ギヤまたは焼結ギヤ）
１１　モータ軸
１２　減速ギヤ群
１５　螺旋カム部
１６，１７　カム従動突起
１８　ファインダカム
２０　フリクションワッシャー
２１　第１ファインダレンズ
２２　第２ファインダレンズ
２３　第３ファインダレンズ
２４　第４ファインダレンズ
２５　案内軸
２６　スプリング
【図１】
2004126300.tif 000003
【図２】
2004126300.tif 000004
【図３】
2004126300.tif 000005
【図４】
2004126300.tif 000006
【図５】
2004126300.tif 000007
【図６】
2004126300.tif 000008
【図７】
2004126300.tif 000009
【手続補正書】
【提出日】平成14年10月10日(2002.10.10)
【手続補正１】
【補正対象書類名】図面
【補正対象項目名】全図
【補正方法】変更
【補正の内容】
【図１】
2004126300.tif 000010
【図２】
2004126300.tif 000011
【図３】
2004126300.tif 000012
【図４】
2004126300.tif 000013
【図５】
2004126300.tif 000014
【図６】
2004126300.tif 000015
【図７】
2004126300.tif 000016